(57)【特許請求の範囲】
【請求項１】
可撓性を有する柄部からブラシ部を差替えて交換自在となし得る歯ブラシにおいて、前記柄部の先端部にレール溝を設けて凹欠部を有する被挿着片を形成し、一方、ブラシ部の背面部に、前記被挿着片に弾発係止する膨出部を有する挿着片を形成したことを特徴とする歯ブラシ。
【請求項２】
可撓性を有する柄部の先端部に、レール溝を設けて凹欠部を有する被挿着片を対向形設すると共に、前記レール溝の基端部側から凸条ガイド及び突起部を形成し、一方、ブラシ部の背面部に、前記柄部の凹欠部に符合する膨出部を有し、切込部の形成により弾発付勢された挿着片を形成したことを特徴とする請求項１に記載の歯ブラシ。
【発明の詳細な説明】
【０００１】
【発明の属する技術分野】
本発明は、使用済みのブラシ部を柄部から取外して、新たなブラシ部と簡単に取替えて使用できるようにした歯ブラシに関する。
【０００２】
【従来の技術】
従来から使用されている歯ブラシは、柄部とブラシ部とが一体になっているものや、柄部とブラシ部とが着脱自在に接続された形態のものが殆んどである。
前者の柄部とブラシ部とが一体となっているものは、使用済み後にそのまま全体を廃棄処分しているが、後者の柄部とブラシ部とが着脱自在に接続された歯ブラシは、継続して活用できる柄部はそのまま再使用し、使用済みのブラシ部は、柄部から取外して廃棄ないしはリサイクルに回すなど、現在、社会問題化しているゴミ廃棄物の減少、或いは、リサイクル処理に寄与させている。
【０００３】
上述の如く、柄部とブラシ部とを着脱自在に接続してなる歯ブラシは、例えば、図８（Ａ）〜（Ｃ）に示すものが知られている。（特開平５−１６８５２７号公報）
即ち、図８（Ａ）に示すものは、柄部８１の細径先端８２に雄ネジを刻設し、ブラシ部８３の側端面に雌ネジを刻設し、これを互いに螺合させて着脱交換可能に一体とするものである。しかしながら、歯磨きの際に応力が集中し易いのは、柄部８１とブラシ部８３とが接続する細径先端８２の部位であるので、この細径先端８２のネジ切り境界部位で折れ易いという問題がある。
【０００４】
また、図８（Ｂ）に示すものは、柄部８１′の細径先端８２′にブラシ部基台８３１′を一体に形成し、このブラシ部基台８３１′の両側面に係止溝８３２′を刻設し、ブラシ部８３′の両側に設けた係止片８３４′を、上記ブラシ部基台８３１′に刻設した係止溝８３２′に沿って嵌合係止して一体とするものである。しかし、この種のものは、柄部８１′とブラシ部８３′とを無理嵌めにより接続しておかないと、使用中に柄部８１′からブラシ部８３′がずれたり、逸脱し易い。従って、柄部８１′に無理嵌めされたブラシ部８３′を取替えるには、引離しに大きな力を要するので実用上不便である。
【０００５】
更に、図８（Ｃ）に示すものは、ブラシ部基台８３１″に嵌合溝８３５″を形成し、これにブラシ体８５″を嵌合し、ブラシ部基台８３１″の周壁側端に穿設したネジ孔８３６″内に、柄部８１″の細径先端のネジをねじ込み固定するものである。しかしながら、この種のものは、細径先端のネジ切り境界部位で折れ易いと共に取替えに手間取り、また、部材点数が多くなるのでコスト高になるという問題がある。
【０００６】
【発明が解決しようとする課題】
本発明は、かかる従来の問題を解決すべく為されたものであって、使用により摩耗、変形してしまったブラシ部を柄部から取外して、柄部はそのまま利用し、この柄部に、新たなブラシ部を簡単に差替え取付けできるようにすると共に、歯ブラシの使用中に、ブラシ部と柄部間でずれを生じたり、柄部からブラシ部が逸脱することがないようにした歯ブラシを提供する。
【０００７】
【課題を解決するための手段】
本発明は、上記課題を解決するためのものであって、その要旨は、可撓性を有する柄部からブラシ部を差替えて交換自在となし得る歯ブラシにおいて、前記柄部の先端部にレール溝を設けて凹欠部を有する被挿着片を形成し、一方、ブラシ部の背面側に、前記被挿着片に弾発係止する膨出部を有する挿着片を形成したことを特徴とする歯ブラシである。
【０００８】
【発明の実施の形態】
以下、本発明の好適な実施形態について、図面に基づき具体的に説明する。
図１は本発明の歯ブラシの全体像を示す側面図であり、図２は本発明の柄部の先端部を示す斜視図であり、図３は図２のＸ−Ｘ線矢指断面図であり、図４は本発明のブラシ部を示す斜視図であり、図５は図４のＸ′−Ｘ′線矢指断面図であり、図６は柄部の先端部をブラシ部に挿着する状態を示す側面図であり、図７はブラシ部から柄部を取外す状態を示す側面図である。
【０００９】
本発明は、図示したように、可撓性を有する柄部１１からブラシ部１２を差替えて交換自在となし得る歯ブラシ１において、上記柄部１１の先端部１１１にレール溝１１２を設けて凹欠部１１４を有する被挿着片１１３を形成し、一方、ブラシ部１２の背面部１２１に、上記被挿着片１１３に弾発係止する膨出部１２３を有する挿着片１２２を形成したことを特徴とするものである。
【００１０】
そして、上記可撓性を有する柄部１１の先端部１１１に、レール溝１１２を設けて凹欠部１１４を有する被挿着片１１３を対向形設すると共に、上記レール溝１１２の基端部側から凸条ガイド１１５及び突起部１１６を形成し、一方、ブラシ部１２の背面部１２１に、切込部１２４の形成により弾発付勢され且つ上記柄部１１の凹欠部１１４に符合する膨出部１２３を有する挿着片１２２を形成したことを特徴とするものである。
【００１１】
上記本発明により、使用により摩耗、変形してしまったブラシ部１２を柄部１１から取外し、この柄部１１に、新たなブラシ部１２を簡単且つ確実に差替え取付けできると共に、使用中にはブラシ部１２が柄部１１からずれたり逸脱することがない歯ブラシ１が得られた。
そして、継続して活用できる柄部１１はそのまま再利用し、使用済みのブラシ部１２は、柄部１１から取外して廃棄乃至はリサイクルに回すなど、ゴミ廃棄物の減少やリサイクル処理に寄与するという作用効果を奏するものである。
【００１２】
【実施例】
図１に示す本発明の歯ブラシ１は、プラスチック等からなる可撓性を有する柄部１１の先端部１１１とブラシ部１２とを、着脱自在に嵌挿して得られるものである。
即ち、図２、図３に示すように、可撓性を有する柄部１１はその先端部１１１にレール溝１１２を設け、このレール溝１１２に、凹欠部１１４を有する被挿着片１１４，１１４を対向させて形設すると共に、レール溝１１２の基端部側から中央に向けて凸条ガイド１１５を突設し、また、この凸条ガイド１１５の基端部側から斜め上方に向けて突起部１１６が形成される。
【００１３】
そして、上記柄部１１の先端部１１１に着脱自在に挿着するブラシ部１２は、図４、図５に示すように、ブラシ部１２の背面部１２１、即ち、ブラシ１２′が取着されている側の反対面側には、上記柄部１１の被挿着片１１３，１１３間へ挿着する挿着片１２２が形成される。この挿着片１２２は、支持部１２５を介して上記被挿着片１１３と同一高さ位置に取付けられると共に、その幅寸法は、被挿着片１１３，１１３間の幅間隔と略同一に設定される。また、挿着片１２２の先端中央から切込み形成した切込部１２４は、上記柄部１１の凸条ガイド１１５を受け入れ、且つ、挿着片１２２に弾発性を付与させるものである。
【００１４】
また、上記ブラシ部１２の挿着片１２２の先端部の両側には、上記柄部１１の凹欠部１１４，１１４に符合する膨出部１２３，１２３が形成され、この膨出部１２３，１２３が形成された部分の挿着片１２２の幅寸法は、柄部１１の被挿着片１１４，１１４間の幅間隔より大きめに設定される。これにより、ブラシ部１２を柄部１１の先端部１１１へ嵌挿する際に、切込部１２４によって弾発付勢された挿着片１２２の膨出部１２３，１２３が、柄部１１の凹欠部１１４，１１４に弾発的に係着するものである。
【００１５】
そして、ブラシ部１２の後端部の側壁に形成した窪み部１２６に、上記柄部１１の凸条ガイド１１５の基端部側から突設した突起部１１６を係着して、使用中における柄部１１からのブラシ部１２の逸脱を防止している。
【００１６】
柄部１１の先端部１１１にブラシ部１２を挿着するには、図６に示すように、矢印の水平方向から、柄部１１の先端部１１１をブラシ部１２の背面部１２１へスライド移動して、柄部１１の被挿着片１１３をブラシ部１２の挿着片１２２に挿着すると同時に、柄部１１の凹欠部１１４に、ブラシ部１２の切込部１２４により起生する弾発性を利用して膨出部１２３を係止し、また、柄部１１の突起部１１６を、ブラシ部１２の後端部の側壁に形成した窪み部１２６に係着することにより、一点鎖線で示す如く、柄部１１の先端部１１１にブラシ部１２が取付けられる。
【００１７】
また、柄部１１の先端部１１１からブラシ部１２を取外すには、図７に示すように、ブラシ部１２を固定し、可撓性を有する柄部１１を矢印ａ方向に持上げて一点鎖線で示す位置まで曲げながら矢印ｂ方向に移動させると、柄部１１の突起部１１６がブラシ部１２の窪み部１２６から外れると共に、柄部１１の凹欠部１１４からブラシ部１２の膨出部１２３が上方に逸脱して、ブラシ部１２を柄部１１から容易に取外すことができるものである。
【００１８】
本発明により、使用して摩耗したり、変形して使えない状態になったブラシ部を柄部から容易に取外して、この柄部に、新たなブラシ部を簡単に差替え取付けすることができるようになった。また、歯ブラシの使用中に、ブラシ部が柄部からずれたり、逸脱することがなくなり、実用上極めて便利である。そして、継続して活用できる柄部はそのまま再利用し、使用済みのブラシ部は、柄部から取外して廃棄ないしはリサイクルに回すことができるなど、ゴミ廃棄物の減少やリサイクル処理に多大な貢献が期待できるという作用効果を奏するものである。
作用効果が得られるものである。
【図面の簡単な説明】
【図１】本発明の歯ブラシの全体像を示す側面図である。
【図２】本発明の柄部の先端部を示す斜視図である。
【図３】図２のＸ−Ｘ線矢指断面図である。
【図４】本発明のブラシ部を示す斜視図である。
【図５】図４のＸ′−Ｘ′線矢指断面図である。
【図６】柄部の先端部をブラシ部に挿着する状態を示す側面図である。
【図７】ブラシ部から柄部を取外す状態を示す側面図である。
【図８】（Ａ）従来技術の一例を示す一部切欠側面図である。
（Ｂ）従来技術の他の例を示す斜視図である。
（Ｃ）従来技術の更に他の例を示す斜視図である。
【符号の説明】
１      歯ブラシ
１１    柄部
１１１  先端部
１１２  レール溝
１１３  被挿着片
１１４  凹欠部
１１５  凸条ガイド
１１６  突起部
１２    ブラシ部
１２′  ブラシ
１２１  背面部
１２２  挿着片
１２３  膨出部
１２４  切込部
１２５  支持部
１２６  窪み部
【図１】
0004003933.tif 000002
【図２】
0004003933.tif 000003
【図３】
0004003933.tif 000004
【図４】
0004003933.tif 000005
【図５】
0004003933.tif 000006
【図６】
0004003933.tif 000007
【図７】
0004003933.tif 000008
【図８】
0004003933.tif 000009